Podtech/llm-jp-corpus-v4-ja_patent huggingface dataset:
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
遊技球の入球が可能な複数の始動口と、
前記複数の始動口のいずれかに遊技球が入球されたことに基づいて始動入球情報を抽出する始動入球情報抽出手段と、
前記始動入球情報抽出手段によって抽出された始動入球情報を所定数まで記憶する始動入球情報記憶手段と、
前記始動入球情報記憶手段によって記憶される始動入球情報に基づいて、大当たりであるか否かの大当たり判定処理を行いうる大当たり判定手段と、
前記大当たり判定処理の結果が大当たりであることに基づいて、遊技者に賞を付与可能な大当たり遊技処理を実行する大当たり遊技処理実行手段と、
所定の演出制御を実行可能な演出制御手段と、を備え、
前記大当たり遊技処理実行手段により大当たり遊技処理が行われた後に、通常遊技状態よりも遊技者に有利な有利遊技状態への移行制御が実行可能とされる遊技機であって、
前記複数の始動口として、第１の始動口及び第２の始動口が設けられてなり、
前記大当たり判定手段は、
前記第２の始動口への入球に基づき抽出された始動入球情報に基づいて大当たり判定処理を行う場合、前記第１の始動口への入球に基づき抽出された始動入球情報に基づいて大当たり判定処理を行う場合よりもその内容を優賞とすることで、前記第１の始動口への入球に応じた遊技を相対的に不利な遊技とするとともに前記第２の始動口への入球に応じた遊技を相対的に有利な遊技とする不利有利遊技創出手段、及び
前記第１の始動口への入球に基づき抽出された始動入球情報と前記第２の始動口への入球に基づき抽出された始動入球情報とのいずれもが前記始動入球情報記憶手段にて記憶されている場合、それら始動入球情報の間でいずれが先に記憶されたかにかかわらず、前記不利な遊技が行われる側の大当たり判定処理が後回しになるように、前記有利な遊技が行われる側の大当たり判定処理を優先して行う優先制御手段
を有しており、
前記演出制御手段は、
前記有利遊技状態において前記有利な遊技が行われる側の大当たり判定処理が優先して行われるとき、前記不利な遊技が行われるリスクの大きさが遊技の進行に応じて変化する遊技状況にあるなかで、該変化するリスクに対して遊技者が意識すべき警戒レベルに応じた演出態様を出現させる演出制御を実行可能な手段
を有することを特徴とする遊技機。
【請求項２】
請求項１に記載の遊技機において、
音の出力にかかる制御を行う音出力制御手段
をさらに備えることを特徴とする遊技機。
【請求項３】
請求項１または２に記載の遊技機において、
発光にかかる制御を行う発光制御手段
をさらに備えることを特徴とする遊技機。
【手続補正２】
【補正対象書類名】明細書
【補正対象項目名】０００７
【補正方法】変更
【補正の内容】
【０００７】
しかしながら、このような従来の遊技機では、遊技興趣の低下が懸念される。
【手続補正３】
【補正対象書類名】明細書
【補正対象項目名】０００９
【補正方法】変更
【補正の内容】
【０００９】
こうした目的を達成するため、請求項１に記載された発明では、遊技球の入球が可能な複数の始動口と、前記複数の始動口のいずれかに遊技球が入球されたことに基づいて始動入球情報を抽出する始動入球情報抽出手段と、前記始動入球情報抽出手段によって抽出された始動入球情報を所定数まで記憶する始動入球情報記憶手段と、前記始動入球情報記憶手段によって記憶される始動入球情報に基づいて、大当たりであるか否かの大当たり判定処理を行いうる大当たり判定手段と、前記大当たり判定処理の結果が大当たりであることに基づいて、遊技者に賞を付与可能な大当たり遊技処理を実行する大当たり遊技処理実行手段と、所定の演出制御を実行可能な演出制御手段と、を備え、前記大当たり遊技処理実行手段により大当たり遊技処理が行われた後に、通常遊技状態よりも遊技者に有利な有利遊技状態への移行制御が実行可能とされる遊技機であって、前記複数の始動口として、第１の始動口及び第２の始動口が設けられてなり、前記大当たり判定手段は、前記第２の始動口への入球に基づき抽出された始動入球情報に基づいて大当たり判定処理を行う場合、前記第１の始動口への入球に基づき抽出された始動入球情報に基づいて大当たり判定処理を行う場合よりもその内容を優賞とすることで、前記第１の始動口への入球に応じた遊技を相対的に不利な遊技とするとともに前記第２の始動口への入球に応じた遊技を相対的に有利な遊技とする不利有利遊技創出手段、及び前記第１の始動口への入球に基づき抽出された始動入球情報と前記第２の始動口への入球に基づき抽出された始動入球情報とのいずれもが前記始動入球情報記憶手段にて記憶されている場合、それら始動入球情報の間でいずれが先に記憶されたかにかかわらず、前記不利な遊技が行われる側の大当たり判定処理が後回しになるように、前記有利な遊技が行われる側の大当たり判定処理を優先して行う優先制御手段を有しており、前記演出制御手段は、前記有利遊技状態において前記有利な遊技が行われる側の大当たり判定処理が優先して行われるとき、前記不利な遊技が行われるリスクの大きさが遊技の進行に応じて変化する遊技状況にあるなかで、該変化するリスクに対して遊技者が意識すべき警戒レベルに応じた演出態様を出現させる演出制御を実行可能な手段を有することを要旨とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
オブジェクトの組み合わせに関する複数の条件と、当該複数の条件の各々を満たした場合に発生する効果の内容とを対応付けて記憶する記憶装置にアクセス可能なゲーム制御装置であって、
ユーザの選択入力に基づいて、前記ユーザに対応付けられた複数のオブジェクトの中から選択されたオブジェクトを含むグループを前記ユーザに対応付けて設定する設定手段と、
前記記憶装置を参照し、前記ユーザに対応付けられたグループに含まれるオブジェクトについて前記複数の条件の各々を満たしたか否か判定する判定手段と、
前記複数の条件について、満たされた条件と満たされなかった条件とが区別可能となるようにして、前記判定手段による判定結果を前記ユーザに通知する通知手段と、
を備えた、ゲーム制御装置。
【請求項２】
前記通知手段は、前記複数の条件の各々に対応付けられた効果の内容を、各条件の判定結果とともに前記ユーザに通知する、
請求項１に記載されたゲーム制御装置。
【請求項３】
前記通知手段は、前記複数の各々の条件の内容を、各条件の判定結果とともに前記ユーザに通知する、
請求項１または２に記載されたゲーム制御装置。
【請求項４】
前記通知手段は、前記グループに含まれるオブジェクトの一覧が表示された場合、前記ユーザによる所定の操作に基づいて、前記判定手段による判定結果を前記ユーザに対して通知する、
請求項１〜３のいずれかに記載されたゲーム制御装置。
【請求項５】
オブジェクトの組み合わせに関する複数の条件と、当該複数の条件の各々を満たした場合に発生する効果の内容とを対応付けて記憶する記憶装置にアクセス可能なゲーム制御装置において、コンピュータに、
ユーザの選択入力に基づいて、前記ユーザに対応付けられた複数のオブジェクトの中から選択されたオブジェクトを含むグループを前記ユーザに対応付けて設定する機能、
前記記憶装置を参照し、前記ユーザに対応付けられたグループに含まれるオブジェクトについて前記複数の条件の各々を満たしたか否か判定する機能、
前記複数の条件について、満たされた条件と満たされなかった条件とが区別可能となるようにして、前記判定する機能による判定結果を前記ユーザに通知する機能、
を実現させるためのプログラム。
【請求項６】
通信端末と、当該通信端末からアクセスされるサーバとを含むゲームシステムであって、
前記サーバは、オブジェクトの組み合わせに関する複数の条件と、当該複数の条件の各々を満たした場合に発生する効果の内容とを対応付けて記憶する記憶装置にアクセス可能であり、
前記サーバは、
ユーザの選択入力に基づいて、前記ユーザに対応付けられた複数のオブジェクトの中から選択されたオブジェクトを含むグループを前記ユーザに対応付けて設定する設定手段と、
前記記憶装置を参照し、前記ユーザに対応付けられたグループに含まれるオブジェクトについて前記複数の条件の各々を満たしたか否か判定する判定手段と、
前記複数の条件について、満たされた条件と満たされなかった条件とが区別可能となるようにして、前記判定手段による判定結果を前記ユーザに通知する通知手段と、を備えた、ゲームシステム。
【手続補正２】
【補正対象書類名】明細書
【補正対象項目名】発明の名称
【補正方法】変更
【補正の内容】
【発明の名称】ゲーム制御装置、プログラム、ゲームシステム
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
外部機器からの配線が差し込まれる差込み部を備えた本体部と、
前記差込み部に対応させて設けられ、所定の電気信号を前記外部機器からの配線に伝える端子部と、
前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が複数設けられた外部出力手段を備える遊技機において、
前記外部出力手段は、複数の前記操作手段が遊技機の左右方向に並ぶようにして設けられ、
前記操作手段は、前記保持状態にある前記保持手段を前記非保持状態へと状態変化させる際に操作される操作部を備え、
遊技機の左右方向に並ぶようにして設けられた前記操作手段のうち第１操作手段の操作部と第２操作手段の操作部とは、遊技機の左右方向に対して交差する方向において位置がずれるように構成され、
遊技機の左右方向に並ぶようにして設けられた前記操作手段のうち前記第１操作手段の操作部と第３操作手段の操作部とは、遊技機の左右方向に対して交差する方向において位置がずれるように構成され、
遊技機の左右方向に並ぶようにして設けられた前記操作手段のうち第４操作手段の操作部と前記第２操作手段の操作部とは、遊技機の左右方向に対して交差する方向において位置がずれるように構成され、
操作されていない場合の前記第２操作手段及び前記第３操作手段の操作部は、操作されていない場合の前記第１操作手段及び前記第４操作手段の操作部より遊技機後方に位置することを特徴とする遊技機。
【請求項２】
外部機器からの配線が差し込まれる差込み部を備えた本体部と、
前記差込み部に対応させて設けられ、所定の電気信号を前記外部機器からの配線に伝える端子部と、
前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が複数設けられた外部出力手段を備える遊技機において、
前記外部出力手段は、複数の前記操作手段が遊技機の左右方向に並ぶようにして設けられ、
前記操作手段は、前記保持状態にある前記保持手段を前記非保持状態へと状態変化させる際に操作される操作部を備え、
遊技機の左右方向に並ぶようにして設けられた前記操作手段のうち第１操作手段の操作部と第２操作手段の操作部とは、前記第１操作手段及び前記第２操作手段の操作方向において位置がずれるように構成され、
遊技機の左右方向に並ぶようにして設けられた前記操作手段のうち前記第１操作手段の操作部と第３操作手段の操作部とは、前記第１操作手段及び前記第３操作手段の操作方向において位置がずれるように構成され、
遊技機の左右方向に並ぶようにして設けられた前記操作手段のうち第４操作手段の操作部と前記第２操作手段の操作部とは、前記第４操作手段及び前記第２操作手段の操作方向において位置がずれるように構成され、
操作されていない場合の前記第２操作手段及び前記第３操作手段の操作部は、操作されていない場合の前記第１操作手段及び前記第４操作手段の操作部より遊技機後方に位置することを特徴とする遊技機。
【手続補正２】
【補正対象書類名】明細書
【補正対象項目名】０００８
【補正方法】変更
【補正の内容】
【０００８】
請求項１の遊技機は、
外部機器からの配線が差し込まれる差込み部を備えた本体部と、
前記差込み部に対応させて設けられ、所定の電気信号を前記外部機器からの配線に伝える端子部と、
前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が複数設けられた外部出力手段を備える遊技機において、
前記外部出力手段は、複数の前記操作手段が遊技機の左右方向に並ぶようにして設けられ、
前記操作手段は、前記保持状態にある前記保持手段を前記非保持状態へと状態変化させる際に操作される操作部を備え、
遊技機の左右方向に並ぶようにして設けられた前記操作手段のうち第１操作手段の操作部と第２操作手段の操作部とは、遊技機の左右方向に対して交差する方向において位置がずれるように構成され、
遊技機の左右方向に並ぶようにして設けられた前記操作手段のうち前記第１操作手段の操作部と第３操作手段の操作部とは、遊技機の左右方向に対して交差する方向において位置がずれるように構成され、
遊技機の左右方向に並ぶようにして設けられた前記操作手段のうち第４操作手段の操作部と前記第２操作手段の操作部とは、遊技機の左右方向に対して交差する方向において位置がずれるように構成され、
操作されていない場合の前記第２操作手段及び前記第３操作手段の操作部は、操作されていない場合の前記第１操作手段及び前記第４操作手段の操作部より遊技機後方に位置することを特徴としている。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
複数種類の識別情報の可変表示を開始させた後に表示結果を導出表示する可変表示手段の表示結果があらかじめ定められた特定表示結果となったときに遊技者にとって有利な有利状態に制御する遊技機であって、
前記有利状態に制御するか否か、及び、前記有利状態が終了した後に遊技状態を通常状態から前記特定表示結果となり易い特別状態に移行させるか否かを決定する決定手段と、
前記可変表示手段において前記識別情報の可変表示がリーチ状態となった後にリーチ演出を実行するリーチ演出実行手段と、
前記リーチ状態となる前、または、前記リーチ状態となった以後に、前記識別情報の表示結果が前記特定表示結果となる可能性を予告する予告演出を実行する予告演出実行手段と、
前記予告演出実行手段が前記予告演出を実行するときに当該予告演出の演出態様を、通常演出態様とするか、該通常演出態様と外形が同じでありデザインが異なる特殊演出態様とするかを決定する予告演出態様決定手段と、を備え、
前記予告演出態様決定手段は、前記決定手段により前記有利状態が終了した後に前記特別状態に移行させると決定されたか否かに応じて、前記リーチ状態となる前における前記予告演出の演出態様を前記特殊演出態様とするか、前記リーチ状態となった以後における前記予告演出の演出態様を前記特殊演出態様とするかを決定し、
遊技者が操作可能な操作手段をさらに備え、
前記予告演出実行手段は、前記予告演出として前記操作手段を操作させる操作予告演出を実行可能であって、演出態様が前記特殊演出態様である前記操作予告演出を実行可能であり、
前記可変表示手段における前記識別情報の可変表示が実行される頻度が高い状態が終了した後の前記予告演出の実行を制限する予告演出制限手段をさらに備える
ことを特徴とする遊技機。
【手続補正２】
【補正対象書類名】明細書
【補正対象項目名】０００７
【補正方法】変更
【補正の内容】
【０００７】
（１）上記目的を達成するため、本発明の遊技機は、複数種類の識別情報（例えば飾り図柄）の可変表示を開始させた後に表示結果を導出表示する可変表示手段（例えば画像表示装置５）の表示結果があらかじめ定められた特定表示結果（例えば大当り組合せ、大当り図柄）となったときに遊技者にとって有利な有利状態（例えば大当り遊技状態）に制御する遊技機（例えばパチンコ遊技機１）であって、前記有利状態に制御するか否か、及び、前記有利状態が終了した後に遊技状態を通常状態から前記特定表示結果となり易い特別状態（例えば、確変状態や時短状態）に移行させるか否かを決定する決定手段（例えばＣＰＵ１０３がステップＳ２４０、Ｓ２４４の処理を実行する部分）と、前記可変表示手段において前記識別情報の可変表示がリーチ状態となった後にリーチ演出を実行するリーチ演出実行手段（例えば演出制御用ＣＰＵ１２０がステップＳ１７２の処理を実行する部分など）と、前記リーチ状態となる前、または、前記リーチ状態となった以後に、前記識別情報の表示結果が前記特定表示結果となる可能性を予告する予告演出を実行する予告演出実行手段（例えば演出制御用ＣＰＵ１２０がステップＳ１７２の処理を実行する部分など）と、前記予告演出実行手段が前記予告演出を実行するときに当該予告演出の演出態様を、通常演出態様とするか、該通常演出態様と外形が同じでありデザインが異なる特殊演出態様とするかを決定する予告演出態様決定手段（例えば演出制御用ＣＰＵ１２０がステップＳ５１１の桜柄演出設定処理を実行する部分）と、を備え、前記予告演出態様決定手段は、前記決定手段により前記有利状態が終了した後に前記特別状態に移行させると決定されたか否かに応じて、前記リーチ状態となる前における前記予告演出の演出態様を前記特殊演出態様とするか、前記リーチ状態となった以後における前記予告演出の演出態様を前記特殊演出態様とするかを決定し（例えば、演出制御用ＣＰＵ１２０が、可変表示結果が「確変大当り」であるか否かに応じて桜柄演出の実行タイミングに対する割り当てが異なる桜柄演出決定テーブル１４５Ａ〜１４５Ｃを使用して実行タイミングを決定する）、遊技者が操作可能な操作手段（例えばスティックコントローラ３０やプッシュボタン３１Ｂ）をさらに備え、前記予告演出実行手段は、前記予告演出として前記操作手段を操作させる操作予告演出（例えば操作系予告）を実行可能であって、演出態様が前記特殊演出態様である前記操作予告演出を実行可能であり、前記可変表示手段における前記識別情報の可変表示が実行される頻度が高い状態が終了した後の前記予告演出の実行を制限する予告演出制限手段をさらに備えることを特徴とする。
このような構成によれば、特殊演出態様の予告演出が実行されたときの遊技の進行状況に応じて特定表示結果となる割合を異ならせることができ、遊技者の期待感に抑揚をつけることができ、遊技の興趣が向上する。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
可変表示を開始して表示結果を導出し、予め定められた有利条件が成立したときに遊技者にとって有利な有利状態に制御する遊技機であって、
前記有利状態に制御される可能性を予告する予告演出を識別情報の可変表示が開始されてから前記表示結果が導出されるまでの複数のタイミングにて実行可能な予告演出実行手段と、
前記複数のタイミングにて実行される前記予告演出の種類を決定する予告演出決定手段と、を備え、
前記予告演出決定手段は、第１タイミングにて前記予告演出として実行される第１の予告演出が予告する前記有利状態に制御される可能性よりも、前記第１タイミングよりも遅い第２タイミングにて前記予告演出として実行される第２の予告演出が予告する前記有利状態に制御される可能性の方が、低くならない又は低くなりにくいように、前記複数のタイミングにて実行される前記予告演出の種類を決定し、
選択肢を提示して選択結果を報知する選択演出を実行可能な選択演出実行手段をさらに備える、
ことを特徴とする遊技機。
【手続補正２】
【補正対象書類名】明細書
【補正対象項目名】０００６
【補正方法】変更
【補正の内容】
【０００６】
仮に、上記特許文献１及び特許文献２に記載の発明では、遊技者が落胆してしまう恐れがある。
【手続補正３】
【補正対象書類名】明細書
【補正対象項目名】０００７
【補正方法】変更
【補正の内容】
【０００７】
この発明は、遊技者の落胆を軽減した遊技機の提供を目的とする。
【手続補正４】
【補正対象書類名】明細書
【補正対象項目名】０００８
【補正方法】変更
【補正の内容】
【０００８】
（Ａ）上記目的を達成するため、本発明に係る遊技機は、
可変表示（例えば特別図柄や飾り図柄の可変表示など）を開始して表示結果を導出し、予め定められた有利条件が成立したとき（例えば大当り図柄や大当り組合せの確定飾り図柄が導出表示されたときなど）に遊技者にとって有利な有利状態（例えば大当り遊技状態など）に制御する遊技機（例えばパチンコ遊技機１など）であって、
前記有利状態に制御される可能性を予告する予告演出（例えば全図柄変動中予告、図柄減速時予告など）を識別情報の可変表示が開始されてから前記表示結果が導出されるまでの複数のタイミングにて実行可能な予告演出実行手段（例えばステップＳ５０５、Ｓ５０８、Ｓ５０９で決定された予告パターンに従ってステップＳ４６３の処理を実行する演出制御用ＣＰＵ１２０など）と、
前記複数のタイミングにて実行される前記予告演出の種類を決定する予告演出決定手段（例えばステップＳ５０５、Ｓ５０８、Ｓ５０９で予告パターンを決定する演出制御用ＣＰＵ１２０）と、を備え、
前記予告演出決定手段は、第１タイミングにて前記予告演出として実行される第１の予告演出が予告する前記有利状態に制御される可能性よりも、前記第１タイミングよりも遅い第２タイミングにて前記予告演出として実行される第２の予告演出が予告する前記有利状態に制御される可能性の方が、低くならない又は低くなりにくいように、前記複数のタイミングにて実行される前記予告演出の種類を決定し（例えばステップＳ５０５、Ｓ５０８、Ｓ５０９にて決定される予告パターンには、全図柄変動中予告が高信頼度で図柄減速時予告が低信頼度となるものが含まれていない）、
選択肢を提示して選択結果を報知する選択演出（例えば、選択演出など）を実行可能な選択演出実行手段（例えば、ステップＳ５１２で選択演出を実行すると決定した場合にステップＳ４６３の処理で選択演出を実行する演出制御用ＣＰＵ１２０など）をさらに備える。
（１）また別の遊技機は、
可変表示の開始を許容する開始条件の成立（例えばステップＳ２３１，Ｓ２３５にてＮｏと判定されることなど）に基づいて、各々が識別可能な複数種類の識別情報（例えば特別図柄や飾り図柄など）の可変表示を開始して表示結果を導出し（例えば第１及び第２特別図柄表示装置４Ａ，４Ｂや、画像表示装置５などによる特別図柄や飾り図柄などの表示）、予め定められた特定表示結果（例えば大当り図柄や大当り組合せの確定飾り図柄など）が導出されたときに、遊技者にとって有利な特定遊技状態（例えば大当り遊技状態など）にする遊技機（例えばパチンコ遊技機１など）であって、
前記特定遊技状態にするか否かを前記表示結果の導出前に決定する事前決定手段（例えばステップＳ２４０、Ｓ２４１の処理を実行する遊技制御用マイクロコンピュータ１００のＣＰＵ１０３など）と、
前記事前決定手段による決定に基づいて、前記遊技機が前記特定遊技状態になる可能性を示唆する所定演出（例えば、全図柄変動予告など）を実行する演出制御手段（例えば、ステップＳ４３２で決定された予告演出を、ステップＳ４６３の処理で実行する演出制御用ＣＰＵ１２０など）と、
前記演出制御手段が実行する前記所定演出の候補として複数の選択肢（例えば、選択肢SEL１乃至SEL３など）を提示する選択肢提示手段（例えばステップＳ４３２内のステップＳ５１４の処理で決定された選択演出パターンに従って、ステップＳ４６３の処理で提示する演出などを実行する演出制御用ＣＰＵ１２０など）と、
前記選択肢提示手段が選択肢として提示した前記複数の選択肢のうち、前記演出制御手段で実行される前記所定演出に対応する選択肢を報知する報知手段（例えばステップＳ４３２内のステップＳ５１４の処理で決定された選択演出の演出態様に従って、ステップＳ４６３の処理で選択肢を選択する演出を実行する演出制御用ＣＰＵ１２０など）と、
を備え、
前記報知手段は、前記選択肢提示手段が提示する前記複数の選択肢の中に、前記特定遊技状態になる可能性が高いことを示唆する所定演出（例えば、高信頼度の全図柄変動予告など）に対応する選択肢（例えば、高信頼度の選択肢など）が含まれる場合に、前記複数の選択肢のうち、前記特定遊技状態になる可能性が特定の基準よりも高いことを示唆する所定演出（例えば、中信頼度又は高信頼度の全図柄変動予告など）に対応する選択肢（例えば、中信頼度又は高信頼度の選択肢など）を報知する（例えば、ステップＳ５１４の処理で決定され、ステップＳ４６３で実行される得る選択演出パターンは、図１５の選択演出パターンＳＰ７〜ＳＰ１７のように、高信頼度の選択肢を含む場合に、必ず、高信頼度又は中信頼度の選択肢が選択されるパターンになっている）。
【手続補正５】
【補正対象書類名】明細書
【補正対象項目名】０００９
【補正方法】変更
【補正の内容】
【０００９】
上記（Ａ）のような構成によれば、遊技者の落胆を軽減できる。
上記（１）のような構成によれば、これから実行される所定演出に対応する選択肢の報知における遊技者の落胆を軽減できる。
【手続補正書】
【提出日】平成26年9月25日(2014.9.25)
【手続補正１】
【補正対象書類名】明細書
【補正対象項目名】００２３
【補正方法】変更
【補正の内容】
【００２３】
本発明が適用されたスロットマシンの実施例を図面を用いて説明すると、本実施例のスロットマシン１は、前面が開口する筐体（図示略）と、この筐体の側端に回動自在に枢支された前面扉と、から構成されている。
【手続補正２】
【補正対象書類名】明細書
【補正対象項目名】０３４８
【補正方法】変更
【補正の内容】
【０３４８】
次いで、分岐用カウンタ値を参照して１か否か、すなわちタイマ割込２か否かを判定し（Ｓｎ６）、タイマ割込２ではない場合、すなわちタイマ割込１の場合には、リールモータ３２Ｌ、３２Ｃ、３２Ｒの始動時のステップ時間間隔の制御を行うリール始動処理（Ｓｎ７）、リールモータ３２Ｌ、３２Ｃ、３２Ｒの位相信号データの変更を行うモータステップ処理（Ｓｎ８）、リールモータ３２Ｌ、３２Ｃ、３２Ｒの停止後、一定時間経過後に位相信号を１相励磁に変更するモータ位相信号スタンバイ処理（Ｓｎ９）を順次実行した後、Ｓｎ２においてスタック領域に退避したレジスタを復帰し（Ｓｎ２０）、Ｓｎ１のステップにおいて禁止した割込を許可して（Ｓｎ２１）、割込前の処理に戻る。
【手続補正３】
【補正対象書類名】明細書
【補正対象項目名】０３５０
【補正方法】変更
【補正の内容】
【０３５０】
また、Ｓｎ４のステップにおいてタイマ割込３またはタイマ割込４であれば、更に、分岐用カウンタ値を参照して３か否か、すなわちタイマ割込４か否かを判定し（Ｓｎ１６）、タイマ割込４でなければ、すなわちタイマ割込３であれば、入力ポートから各種スイッチ類の検出データを入力するポート入力処理（Ｓｎ１７）、回転中のリール２Ｌ、２Ｃ、２Ｒの原点通過（リール基準位置の通過）をチェックし、リール回転エラーの発生を検知するとともに、停止準備が完了しているかを確認し、停止準備が完了しており、かつ定速回転中であれば、回転中のリールに対応するストップスイッチの操作を有効化する処理を行う原点通過時処理（Ｓｎ１８）、各種スイッチ類の検出信号に基づいてこれら各種スイッチが検出条件を満たしているか否かを判定するスイッチ入力判定処理（Ｓｎ１９）を順次実行した後、Ｓｎ２においてスタック領域に退避したレジスタを復帰し（Ｓｎ２０）、Ｓｎ１のステップにおいて禁止した割込を許可して（Ｓｎ２１）、割込前の処理に戻る。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
受信機内で誤り訂正（ＥＣ）処理を実行するための方法であって、
（ａ）  該受信機が、３つ以上のデータ・パケット及びＥＣパケットを含む第１のフレームのパケットのサブセットを連続的に受信するステップと、
（ｂ）  該受信機が、該第１のフレームのパケットの該サブセットにＥＣ処理を実行して、該第１のフレームのうちの少なくとも１つのパケットを再構成するステップであって、該ＥＣ処理が、パケットの該サブセット全体を受信する前に開始されるステップと、
（ｃ） ３つ以上のデータ・パケット及びＥＣパケットを含む第２のフレームのパケットのサブセットを連続的に受信するステップと、及び、
（ｄ） 該第２のフレームのパケットの該サブセットにＥＣ処理を実行して、該第２のフレームのうちの少なくとも１つのパケットを再構成するステップであって、該第２のフレームの該ＥＣ処理が、該第１のフレームの該ＥＣ処理が完了する前に開始されるステップを含む方法。
【請求項２】
請求項１に記載の方法において、
該ＥＣ処理は、該サブセット内の後続パケットの受信を待つことなく、受信すると該サブセット内の各パケットを処理するステップを含む、方法。
【請求項３】
請求項２に記載の方法において、
該サブセット内の少なくとも１つの受信パケットについて、該ＥＣ処理は、
（ｂ１）  該受信パケット、及びメモリに格納された値に数学演算を実行するステップと、ならびに
（ｂ２）  後続の数学演算用に該メモリ内に格納される値として、該数学演算の結果を格納するステップとを含む、方法。
【請求項４】
請求項３に記載の方法において、
該サブセット内の最後の受信パケットについて、該ＥＣ処理は、
（ｂ３）  該最後の受信パケット、及び該メモリに格納された該値に最後の数学演算を実行するステップと、ならびに
（ｂ４）  該最後の数学演算の結果に基づいて、該第１のフレームの欠落データ・パケットを再構成するステップとを含む、方法。
【請求項５】
請求項１に記載の方法において、
該第１のフレームの該ＥＣ処理は、該第２のフレームの該ＥＣ処理が開始する前に開始される、方法。
【請求項６】
請求項１に記載の方法において、
（ａ１）  該第１のフレームのパケットの該サブセット内の各パケットを、パケット・バッファ内に格納するステップと、
（ａ２）  該パケットにＥＣ処理を実行する前に、該パケット・バッファから各パケットを読み取るステップと、及び
（ｃ）  該第１のフレームのパケットの該サブセット内の各パケットへのＥＣ処理が完了した後に、再構成されたパケットを該パケット・バッファ内に格納するステップとをさらに含む、方法。
【請求項７】
受信機であって、
３つ以上のデータ・パケット及び誤り訂正（ＥＣ）パケットを含む第１のフレームのパケットのサブセットを連続的に受信するように構成されたパケット・バッファ、及び、
該第１のフレームのパケットの該サブセットにＥＣ処理を実行して、該第１のフレームのうちの少なくとも１つのパケットを再構成するように構成されたＥＣデコーダであって、該ＥＣ処理が、パケットの該サブセット全体を受信する前に開始されるＥＣデコーダを備える受信機。
【請求項８】
請求項７に記載の受信機において、
該パケット・バッファは、３つ以上のデータ・パケット及び誤り訂正（ＥＣ）パケットを含む第２のフレームのパケットのサブセットを連続的に受信するように構成され、
該ＥＣデコーダは、
該第２のフレームのパケットの該サブセットにＥＣ処理を実行して、該第２のフレームのうちの少なくとも１つのパケットを再構成し、
該第１のフレームの該ＥＣ処理が完了する前に該第２のフレームの該ＥＣ処理を開始するように構成される、受信機。
【請求項９】
請求項８に記載の受信機において、
該ＥＣデコーダは、該第２のフレームのＥＣ処理を開始する前に、該第１のフレームのＥＣ処理を開始するように構成される、受信機。
【請求項１０】
受信機内で誤り訂正（ＥＣ）処理を実行する装置であって、
（ａ）  ３つ以上のデータ・パケット及びＥＣパケットを含む第１のフレームのパケットのサブセットを連続的に受信する手段と、
（ｂ）  該第１のフレームのパケットの該サブセットにＥＣ処理を実行して、該第１のフレームのうちの少なくとも１つのパケットを再構成する手段であって、該ＥＣ処理が、パケットの該サブセット全体を受信する前に開始される手段と、
（ｃ） ３つ以上のデータ・パケット及びＥＣパケットを含む第２のフレームのパケットのサブセットを連続的に受信する手段と、及び、
（ｄ） 該第２のフレームのパケットの該サブセットにＥＣ処理を実行して、該第２のフレームのうちの少なくとも１つのパケットを再構成する手段であって、該第２のフレームの該ＥＣ処理が、該第１のフレームの該ＥＣ処理が完了する前に開始される手段を含む装置。
【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
供給された光を変調する複数の液晶パネルと、
前記複数の液晶パネルの各々に互いに異なる波長域の光を供給する光源部と、
前記複数の液晶パネルの各々によって変調された光を合成して投射する投射光学系と、を有し、
前記複数の液晶パネル各々は、
一方面側に反射性の画素電極が設けられた第１基板と、
前記第１基板と対向し、前記第１基板側に透光性の共通電極が設けられた第２基板と、
前記第１基板と前記第２基板との間に設けられた液晶層と、を備え、
前記複数の液晶パネルのうち、最も短い波長域である第１波長域の光が供給される短波長域用液晶パネルの前記共通電極の膜厚は、前記複数の液晶パネルのうち前記短波長域用液晶パネルとは異なる複数の液晶パネルのぞれぞれの前記共通電極の膜厚よりも薄く、
前記複数の液晶パネルのうち前記短波長域用液晶パネルとは異なる複数の液晶パネルは、互いに前記共通電極の膜厚が等しいことを特徴とする投射型表示装置。
【請求項２】
前記短波長域用液晶パネルは、前記第１波長域の光を前記短波長域用液晶パネルに供給したときの反射分光特性の最高反射率と最低反射率との差が、前記第１波長域よりも長波長域の光を前記短波長域用液晶パネルに供給したときの反射分光特性の最高反射率と最低反射率との差よりも小さいことを特徴とする請求項１に記載の投射型表示装置。
【請求項３】
前記短波長域用液晶パネルの前記共通電極の膜厚は、前記複数の液晶パネルのうち前記短波長域用液晶パネルとは異なる複数の液晶パネルのそれぞれの前記共通電極の膜厚の０．７０倍から０．９０倍であることを特徴とする請求項１または２に記載の投射型表示装置。
【請求項４】
前記短波長域用液晶パネルの前記共通電極の屈折率及び膜厚は、前記第１波長域の中心波長における前記共通電極の屈折率と、前記共通電極の膜厚とを乗じた光学的膜厚が前記第１波長域の中心波長の約１／２倍となるように設けられていることを特徴とする請求項３に記載の投射型表示装置。
【請求項５】
前記複数の液晶パネルのうち前記短波長域用液晶パネルとは異なる複数の液晶パネルのうち、前記光源部から供給される光が最も短い波長域である第２波長域の光が供給される液晶パネルの前記共通電極の屈折率及び膜厚は、前記第２波長域の中心波長における前記共通電極の屈折率と、前記共通電極の膜厚とを乗じた光学的膜厚が前記第２波長域の中心波長の約１／２倍となるように設けられていることを特徴とする請求項４に記載の投射型表示装置。
【請求項６】
前記短波長域用液晶パネルの前記共通電極は、透過分光特性の透過率のピークが前記第１波長域の波長域内に位置することを特徴とする請求項４または５に記載の投射型表示装置。
【請求項７】
前記複数の液晶パネルはいずれも、前記共通電極がＩＴＯ膜であることを特徴とする請求項１乃至６の何れか一項に記載の投射型表示装置。
【請求項８】
前記複数の液晶パネルは、赤色光が供給される赤色用液晶パネル、緑色光が供給される緑色用液晶パネル、および青色光が供給される青色用液晶パネルであり、
前記青色用液晶パネルは、前記赤色用液晶パネルおよび前記緑色用液晶パネルに比して前記共通電極の膜厚が薄い前記短波長域用液晶パネルであり、
前記赤色用液晶パネルおよび前記緑色用液晶パネルは、互いの前記共通電極の膜厚が等しい前記他の液晶パネルであることを特徴とする請求項１乃至７の何れか一項に記載の投射型表示装置。
【請求項９】
供給された光を変調する複数の液晶パネルと、
前記複数の液晶パネルの各々によって変調された光を合成して出射する光合成光学系と、
を有し、
前記複数の液晶パネル各々は、
一方面側に反射性の画素電極が設けられた第１基板と、
前記第１基板と対向し、前記第１基板側に透光性の共通電極が設けられた第２基板と、
前記第１基板と前記第２基板との間に設けられた液晶層と、を備え、
前記複数の液晶パネルのうち、最も短い波長域の光が供給される短波長域用液晶パネルの前記共通電極の膜厚は、前記複数の液晶パネルのうち前記短波長域用液晶パネルとは異なる複数の液晶パネルのぞれぞれの前記共通電極の膜厚よりも薄く、
前記複数の液晶パネルのうち前記短波長域用液晶パネルとは異なる複数の液晶パネルは、互いに前記共通電極の膜厚が等しいことを特徴とする光学ユニット。
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
バックライトと、
第１の基板と、
前記第１の基板と対向した、第２の基板と、
前記第１の基板と、前記第２の基板との間の、反射層と、
前記第１の基板と、前記第２の基板との間の、微小構造体と、
前記微小構造体と電気的に接続されたトランジスタと、を有する表示装置であって、
前記反射層は、開口部を有し、
前記微小構造体は、前記開口部に対応して設けられ、
前記微小構造体は、移動可能なシャッタを有し、
前記バックライトは、発光素子と、第１の樹脂と、第２の樹脂とを有し、
前記第１の樹脂は、凸状の表面を有し、
前記第２の樹脂は、平坦な表面を有し、
前記第１の樹脂は、前記発光素子を覆い、
前記第２の樹脂は、前記発光素子と、前記第１の樹脂を覆うことを特徴とする表示装置。
【請求項２】
請求項１において、
前記第１の樹脂の光屈折率は、前記第２の樹脂の光屈折率よりも大きいことを特徴とする表示装置。
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
搬送される用紙の第１面に、第１画像形成装置により画像を形成した後、前記第１面の反対面である第２面に、第２画像形成装置により画像を形成する画像形成システムにおいて、
前記第１画像形成装置は、
前記第１面に、前記用紙の搬送方向に沿った方向である第１方向の長さが、前記搬送方向に垂直な方向である第２方向の位置に応じて異なる形状を有する第１マーク部と、前記第１マーク部の前記第１方向と平行な辺を除くいずれかの辺に対して、所定距離を存して平行に配置される線である第２マーク部と、を含むマークを形成するマーク形成手段を備え、
前記第２画像形成装置は、
前記用紙の搬送経路の所定位置を通過する前記マークを検出し、前記第１マーク部と前記第２マーク部との間の前記所定距離の区間が前記所定位置を通過している時間である第１通過時間と、前記第１マーク部が前記所定位置を通過している時間である第２通過時間と、を出力するマーク検出手段と、
前記第１通過時間および前記第２通過時間に基づいて、前記用紙の前記第１方向の伸縮率と、前記用紙の前記第２方向の伸縮率と、を算出する算出手段と、を備えることを特徴とする画像形成システム。
【請求項２】
前記第１画像形成装置は、前記マークの濃度を検出する濃度検出手段をさらに備え、
前記第２画像形成装置は、検出された前記マークの濃度に基づいて、前記マーク検出手段の感度を調整する感度調整手段をさらに備えることを特徴とする請求項１に記載の画像形成システム。
【請求項３】
前記第１画像形成装置は、前記マーク検出手段の出力に基づいて、前記マークの濃度を調整する濃度調整手段をさらに備えることを特徴とする請求項１に記載の画像形成システム。
【請求項４】
前記マーク検出手段は、前記第２方向の位置が異なる２つの前記所定位置で前記マークを検出する２つの検出部を有し、
前記算出手段は、前記マーク検出手段の２つの検出部のうちの一方が出力する前記第１通過時間および前記第２通過時間と、前記マーク検出手段の２つの検出部のうちの他方が出力する前記第１通過時間および前記第２通過時間とに基づいて、前記用紙の前記第１方向の伸縮率と、前記用紙の前記第２方向の伸縮率と、前記用紙の前記第２方向の蛇行量とを算出することを特徴とする請求項１に記載の画像形成システム。
【請求項５】
前記第２画像形成装置は、前記用紙の前記第１方向の伸縮率に基づいて、前記第２面に形成する画像の前記第１方向の倍率を調整するとともに、前記用紙の前記第２方向の伸縮率に基づいて、前記第２面に形成する画像の前記第２方向の倍率を調整して、前記第２面に形成する画像の位置を前記第１面に形成された画像の位置に合わせる画像調整手段をさらに備えることを特徴とする請求項１に記載の画像形成システム。
【請求項６】
前記用紙の前記第１方向の長さが変化していない状態の前記第１通過時間を参照時間として記憶する記憶部を備え、
前記算出手段は、前記第１通過時間をｔａ、前記参照時間をｔｂとしたときに、前記用紙の前記第１方向の伸縮率αを、α＝ｔａ／ｔｂにより算出することを特徴とする請求項１に記載の画像形成システム。
【請求項７】
前記第１マーク部は、斜辺を除く２つの辺の一方である第１辺が前記第１方向に沿って配置され、他方である第２辺が前記第２方向に沿って配置された直角三角形の形状を有することを特徴とする請求項４に記載の画像形成システム。
【請求項８】
前記マーク検出手段の２つの検出部は、前記第１マーク部の前記第２辺を３等分する２つの前記所定位置で前記マークを検出し、
前記算出手段は、前記マーク検出手段の２つの検出部のうちの一方が出力する前記第２通過時間をｔｃ、前記マーク検出手段の２つの検出部のうちの他方が出力する前記第２通過時間をｔｄ、前記用紙の前記第１方向の伸縮率をα、前記第１マーク部の前記第１辺の長さをｍ、前記用紙の搬送速度をｖとしたときに、前記用紙の前記第２方向の伸縮率βを、β＝（１／３）×（α×（ｍ／ｖ））／（ｔｄ−ｔｃ）により算出することを特徴とする請求項７に記載の画像形成システム。
【請求項９】
前記算出手段は、前記マーク検出手段の２つの検出部のうちの一方が出力する前記第２通過時間をｔｃ、前記マーク検出手段の２つの検出部のうちの他方が出力する前記第２通過時間をｔｄ、前記用紙の前記第２方向の伸縮率をβ、前記第１マーク部の前記第２辺の長さをＲとしたときに、前記用紙の前記第２方向の蛇行量Ｓを、Ｓ＝Ｒ／３×［ｔｃ／（ｔｄ−ｔｃ）−１］×βにより算出することを特徴とする請求項８に記載の画像形成システム。
【請求項１０】
前記蛇行量Ｓは、前記第１マーク部の前記第２辺の長さＲの１／３以下の場合に有効値とすることを特徴とする請求項９に記載の画像形成システム。
【請求項１１】
前記マーク形成手段は、前記マークを前記第１面の複数の位置に形成し、
前記算出手段は、複数の前記マークごとに算出した前記蛇行量Ｓの平均値を前記蛇行量とすることを特徴とする請求項９に記載の画像形成システム。
【請求項１２】
前記マーク形成手段は、前記第１マーク部の前記第２辺が、前記第１面に形成する画像の書き出し位置に配置されるように前記マークを形成し、
前記第２画像形成装置は、前記マーク検出手段が前記第１マーク部の前記第２辺を検出したタイミングに基づいて、前記第２面に形成する画像の書き出し位置を調整することを特徴とする請求項７に記載の画像形成システム。
【請求項１３】
前記マーク形成手段は、前記マークのトナー像を像担持体上に形成し、該トナー像を前記第１面に転写して溶融定着させることで、前記第１面に前記マークを形成するものであり、
前記濃度検出手段は、前記第１面に転写される前の前記マークのトナー像の濃度を検出することを特徴とする請求項２に記載の画像形成システム。
【請求項１４】
前記マーク形成手段は、前記マークのトナー像を像担持体上に形成し、該トナー像を前記第１面に転写して溶融定着させることで、前記第１面に前記マークを形成するものであり、
前記濃度検出手段は、前記第１面に転写され、溶融定着される前の前記マークのトナー像の濃度を検出することを特徴とする請求項２に記載の画像形成システム。
【請求項１５】
前記マーク形成手段は、前記マークのトナー像を像担持体上に形成し、該トナー像を前記第１面に転写して溶融定着させることで、前記第１面に前記マークを形成するものであり、
前記濃度検出手段は、前記第１面に定着されたトナー像である前記マークの濃度を検出することを特徴とする請求項２に記載の画像形成システム。
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
複数の小面を有するコアと、
前記コアの第１の小面に結合された第１の電極の組と、
前記コアの第２の小面に結合された第２の電極の組と、
を備え、
前記コアの屈折率が、前記コア上に印加される電場に対応し、前記コアが、紫外線に耐久性のある材料で作製され、
前記第１及び第２の電極の組が、略放物形を有する大きさの電場を第１の方向に沿って生じさせた場合、前記コアが、前記第１及び第２の小面とは異なる前記コアの小入射面を介して前記コアに入射する第１の光ビーム上に、該第１の光ビームの伝搬方向に沿って配向された前記第１の方向に沿って第１の焦点調節機能を適用し、
前記電場を高速変化させることにより、前記第１の焦点調節機能が高速変更されるようになる、
ことを特徴とする焦点調節装置。
【請求項２】
前記コアが、リン酸二重水素カリウム、ＫＨ2ＰＯ4、リン酸二水素アンモニウム及び二酸化シリコンのうちの１つで作製される、
ことを特徴とする請求項１に記載の焦点調節装置。
【請求項３】
前記第１及び第２の電極の組のうちの第１の組が、放物形を有する大きさの電場を前記第１の方向に沿って生じさせるように構成され、前記第１及び第２の電極の組のうちの第２の組が、逆放物形を有する大きさの電場を前記第１の方向に沿って生じさせるように構成される、
ことを特徴とする請求項１に記載の焦点調節装置。
【請求項４】
前記第１及び第２の電極の組のうちの第１の組が、前記コアの中心に近づくにつれ増加する大きさの電場を前記第１の方向に沿って生じさせるように構成され、前記第１及び第２の電極の組のうちの第２の組が、前記コアの中心に近づくにつれ減少する大きさの電場を前記第１の方向に沿って生じさせるように構成される、
ことを特徴とする請求項１に記載の焦点調節装置。
【請求項５】
前記第１及び第２の電極の組が、前記コアを前記第１の方向に沿って正レンズとして機能させ、前記第３の方向に沿って負レンズとして機能させる電場を生じさせるように構成される、
ことを特徴とする請求項１に記載の焦点調節装置。
【請求項６】
前記第１及び第２の電極の組が、前記コアを前記第１の方向に沿って負レンズとして機能させ、前記第３の方向に沿って正レンズとして機能させる電場を生じさせるように構成される、
ことを特徴とする請求項１に記載の焦点調節装置。
【請求項７】
焦点変更方法であって、
紫外線に耐久性のある材料で作製されたコアの小入射面を介して第１の光ビームを受光するステップを含み、前記コアの屈折率が、前記コア上に印加される電場に対応し、
前記小入射面とは異なる前記コアの第１の小面に接続された第１の電極の組により、略放物形を有する大きさの電場を第１の方向に沿って生じさせ、これにより前記コアが前記第１の光ビーム上に、前記第１の光ビームの伝搬方向に沿って配向された前記第１の方向に沿って第１の焦点調節機能を適用するようにするステップと、
前記第１の電極の組によって生じた前記電場の高速変化を行うことにより、前記第１の焦点調節機能の高速変更を行うステップと、
をさらに含むことを特徴とする方法。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
回転可能な像担持体と、前記像担持体上にトナー像を形成するための像形成部と、をそれぞれ備える複数の像形成ユニットと、
前記複数の像形成ユニットを冷却する風を発生させる送風手段と、
を有し、前記複数の像形成ユニットが並んで配置された画像形成装置において、
前記複数の像形成ユニットのうち隣り合う２つの像形成ユニットの間の空間に設けられ、前記送風手段により発生した風が流れる向きを変更する風向き変更部材を有し、
前記風向き変更部材によって、前記送風手段により発生した風が、前記像担持体の回転軸方向において前記空間の両端から中央へ流れることを特徴とする画像形成装置。
【請求項２】
前記風向き変更部材は前記像形成ユニットに対向する像形成ユニット対向部を備え、
前記像形成ユニット対向部と前記像形成ユニットとの間の隙間は、前記回転軸方向の両端から中央に向かうにつれて広くなっていることを特徴とする請求項１に記載の画像形成装置。
【請求項３】
前記像担持体上に形成されたトナー像を記録材上に転写するためのベルトを有し、
前記風向き変更部材は前記ベルトに対向するベルト対向部を備え、前記ベルト対向部と前記像形成ユニットとの間の隙間は、前記回転軸方向の両端から中央に向かうにつれて広くなっていることを特徴とする請求項１又は２に記載の画像形成装置。
【請求項４】
前記回転軸方向において前記複数の像形成ユニットを両端から挟むように配置された２つの側板を有し、
前記風向き変更部材は、前記２つの側板を前記回転軸方向で連結するステー部材であることを特徴とする請求項１乃至３のいずれか一項に記載の画像形成装置。
【請求項５】
前記２つの側板には、夫々像形成ユニットを位置決めする位置決め部が設けられており、
前記送風手段により発生した風が、前記位置決め部に供給されることを特徴とする請求項４に記載の画像形成装置。
【請求項６】
前記像形成ユニットの上方に配置され、前記像担持体上に形成されたトナー像を記録材
上に転写するためのベルトを有し、
前記送風手段は、前記像担持体の回転軸方向に関して前記ベルトの略中央に対応する位置に配置され、
前記送風手段により発生した風は、前記回転軸方向において、前記ベルトの両端の外側を通り、前記空間の両端へ流れることを特徴とする請求項１に記載の画像形成装置。
【請求項７】
前記送風手段により発生した風が通るダクトを有し、
前記空間は複数存在し、前記ダクトには複数の前記空間の前記回転軸方向両端にそれぞれ対向して設けられた開口部が形成されており、
前記ダクトは、前記ベルトの上方で前記送風手段により発生した風を、前記回転軸方向における前記ベルトの両側に向かって分岐させ、前記開口部から複数の前記空間の前記回転軸方向両端に供給することを特徴とする請求項６に記載の画像形成装置。
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
被検物を結像する結像光学系と、
前記結像光学系を介して前記被検物を撮像する複数の撮像部と、を備え、
前記複数の撮像部のそれぞれは、撮像素子と、該撮像素子を移動する移動機構と、を含むことを特徴とする顕微鏡。
【請求項２】
前記移動機構は、前記撮像素子の撮像面が前記被検物の像の合焦面に近づくように、該撮像素子を移動することを特徴とする請求項１に記載の顕微鏡。
【請求項３】
前記移動機構は、前記被検物の表面形状に応じて前記撮像素子を移動することを特徴とする請求項１又は２に記載の顕微鏡。
【請求項４】
前記被検物を保持し移動するステージを備え、前記移動機構は、前記結像光学系の光軸に垂直な方向への前記ステージの移動に応じて前記撮像素子を移動することを特徴とする請求項１乃至３のいずれか１項に記載の顕微鏡。
【請求項５】
前記複数の撮像部を移動する移動部を有することを特徴とする請求項１乃至４のいずれか１項に記載の顕微鏡。
【請求項６】
前記移動部は、前記被検物の像の合焦面の傾きに応じて前記複数の撮像部を移動することを特徴とする請求項５に記載の顕微鏡。
【請求項７】
前記被検物を保持し移動するステージを備え、該ステージは、前記被検物の像の合焦面の傾きに応じて、前記被検物を移動することを特徴とする請求項１乃至６のいずれか１項に記載の顕微鏡。
【請求項８】
複数の前記撮像素子は、前記被検物における異なる複数の部分を撮像するように構成されていることを特徴とする請求項１乃至７のいずれか１項に記載の顕微鏡。
【請求項９】
請求項１乃至８のいずれか１項に記載の顕微鏡と、前記被検物の表面形状を計測する計測装置と、を備えることを特徴とする画像取得装置。
【請求項１０】
前記移動機構は、前記計測装置により計測された前記表面形状に応じて前記撮像素子を移動することを特徴とする請求項９に記載の画像取得装置。
【請求項１１】
前記計測装置は、前記被検物において試料が存在する存在領域を計測し、前記顕微鏡は、前記計測装置により計測された前記表面形状及び前記存在領域に応じて、該存在領域を撮像する前記撮像素子を移動することを特徴とする請求項９又は１０に記載の画像取得装置。
【請求項１２】
請求項９乃至１１のいずれか１項に記載の画像取得装置と、前記画像取得装置で取得された前記被検物の画像を表示する表示装置と、を備えることを特徴とする画像取得システム。
【手続補正２】
【補正対象書類名】明細書
【補正対象項目名】０００７
【補正方法】変更
【補正の内容】
【０００７】
本発明の一側面としての顕微鏡は、被検物を結像する結像光学系と、前記結像光学系を介して前記被検物を撮像する複数の撮像部と、を備え、前記複数の撮像部のそれぞれは、撮像素子と、該撮像素子を移動する移動機構と、を含むことを特徴とする。
本発明のその他の側面については、以下で説明する実施の形態で明らかにする。